Podtech/llm-jp-corpus-v4-ja_patent huggingface dataset:
(57)【要約】      （修正有）【課題】手の甲の部分に鏡を装着し、手の動きで後方の交通の状況を知ることができるようにした、自転車運転用ミラーを提供する。【解決手段】本体５に指を通す輪２を設け、本体５に鏡の固定枠４を設け、固定枠４に鏡３を取り付け、本体５に手首用ベルト６を取り付けて、自転車運転用ミラーを構成する。【選択図】図２
0003157747.tif 000002
【実用新案登録請求の範囲】
【請求項１】
（イ）本体（５）に指を通す輪（２）を設ける。
（ロ）本体（５）に鏡の固定枠（４）を設け、固定枠（４）に鏡（３）を取り付ける。
（ハ）本体（５）に手首用ベルト（６）を取り付ける。
（ニ）本考案品（１）は、本体（５）、指を通す輪（２）、鏡の固定枠（４）、鏡（３）、手首用ベルト（６）で構成する。
以上のように構成された自転車運転用ミラー。
【考案の詳細な説明】
【技術分野】
【０００１】  本考案は、自転車に乗っているとき、方向転換するときや道が込み合っているとき、後方が気になっていた。
そんなとき、役に立つように、手の甲の部分に鏡を装着し、手の動きで後方の交通の状況を知ることができるように工夫した、自転車運転用ミラーに関するものである。
【背景技術】
【０００２】  従来、自転車走行中に安全に方向を示す器具が少ないため、片手運転、または、無指示にて走行を行い、最近、危険が多いことを考え、安全性のよい、鏡付き方向指示器があった（特許文献１参照）。
また、自転車で走行中右折、左折の方向指示が簡単な操作で確実に表すことができるように、上方部を開放したケースの略両端に関節部を設け、折たたみ自在なアームを設け、そのアームの両面には反射材を設けた自転車用方向指示器があった（特許文献２参照）。
【先行技術文献】
【０００３】
【特許文献１】  特開２０００−１１８４６２号公報
【特許文献２】  特開２００２−３１６６８２号公報
【考案の概要】
【考案が解決しようとする課題】
【０００３】  そのために、次のような問題点がある。
従来の自転車は、後方の状況がわからず、危険を伴っていた。
方向を変えるとき、片手信号、または無指示にて左右走行し、後方を見ないため安全走行はむつかしい状態であった。
これまでは特別の器具がないため感覚運転を行い事故が多かった。
本考案は、これらの問題点を解決されるためになされたものである。
【課題を解決するための手段】
【０００４】（イ）本体（５）に指を通す輪（２）を設ける。
（ロ）本体（５）に鏡の固定枠（４）を設け、固定枠（４）に鏡（３）を取り付ける。
（ハ）本体（５）に手首用ベルト（６）を取り付ける。
（ニ）本考案品（１）は、本体（５）、指を通す輪（２）、鏡の固定枠（４）、鏡（３）、手首用ベルト（６）で構成する。
以上のように構成された自転車運転用ミラーである。
【考案の効果】
【０００５】  操作が簡単なため、安心して右折、左折を行うことができる。
後方の状況が、すぐに確認ができるので安全性が高い。
自動車運転者、および、通行人との、交通安全対策の一環に役立つ。
実用上、きわめて有益である。
【図面の簡単な説明】
【０００６】
【図１】  本考案の平面図である。
【図２】  本考案の使用状態を示した説明図である。
【考案を実施するための形態】
【０００７】  以下、本考案の形態について説明する。
図１は、本考案の平面図である。
図２は、本考案の使用状態を示した説明図である。
（イ）本体（５）に指を通す輪（２）を設ける。
（ロ）本体（５）に鏡の固定枠（４）を設け、固定枠（４）に鏡（３）を取り付ける。
（ハ）本体（５）に手首用ベルト（６）を取り付ける。
（ニ）本考案品（１）は、本体（５）、指を通す輪（２）、鏡の固定枠（４）、鏡（３）、手首用ベルト（６）で構成する。
（ホ）本体（５）の素材は、布、または、人工素材を使う。
以上のように構成された自転車運転用ミラーである。
本考案を使用するときは、自転車に乗り、方向転換するときや道が込み合っているとき、後方が気になったとき、手に装着した考案品で、手の動きで後方の交通の状況を知ることができる。
【符号の説明】
【０００８】  １  本考案品
２  指を通す輪
３  鏡
４  鏡の固定枠
５  本体
６  手首用ベルト
【図１】
0003157747.tif 000003
【図２】
0003157747.tif 000004
【手続補正書】
【提出日】平成21年12月1日(2009.12.1)
【手続補正１】
【補正対象書類名】実用新案登録請求の範囲
【補正対象項目名】全文
【補正方法】変更
【補正の内容】
【実用新案登録請求の範囲】
【請求項１】
本体（５）、指を通す輪（２）、鏡の固定枠（４）、鏡（３）、及び、手首用ベルト（６）とから構成される自転車運転用ミラーであって、前記本体（５）に指を通す輪（２）を設け、前記本体（５）に鏡の固定枠（４）を設け、固定枠（４）に鏡（３）を取り付け、前記本体（５）に手首用ベルト（６）を取り付けることを特徴とする、自転車運転用ミラー。
(57)【要約】      （修正有）【課題】安価な市販のふっ素樹脂を代表とする樹脂製チューブ継手に適合し、ガラスの特性を生かした樹脂製チューブ継手用のガラス管を提供する。【解決手段】ガラス管に窪み加工を施した４のガラス管を１のボディに挿入し、２のナットを回すと３のシール部が締め付けられてガラス管の窪みに沿って変形することにより、ガラス管強度を維持したままでシールができ、引き抜け防止の効果を向上することが可能となる。【選択図】図２
0003157750.tif 000002
【実用新案登録請求の範囲】
【請求項１】
樹脂継手シール構造に沿った窪み加工を施し、樹脂製チューブ継手とガラス管及び、石英ガラス管の引き抜け防止を図ることを特徴とするガラス管及び、石英ガラス管。
【考案の詳細な説明】
【技術分野】
【０００１】  本考案は、チューブ継手の引き抜け防止のために、ガラス管側に施す加工に関するものである。
【背景技術】
【０００２】  ふっ素樹脂製チューブ継手などでガラス管の接続を行う場合、チューブの材質が継手の材質よりも硬い場合には、簡単にチューブが引き抜けてしまい、確実な固定が困難である。
【考案の概要】
【考案が解決しようとする課題】
【０００３】  ガラスは、透過性、耐薬品性及び、加工性に優れた素材であるが、安価で確実に固定できる継手がないこともあり、限られた用途でしか使用されていないのが現状である。ふっ素樹脂を代表する樹脂製チューブ継手にガラス管を接続する場合には、樹脂製チューブと違いガラス管は変形しないために、ガラス管は僅かな力で引き抜けてしまう。本考案が解決しようとする課題は、安価な市販の樹脂製チューブ継手に適合し、ガラスの特性を生かした樹脂製チューブ継手用のガラス管を提供することにある。従来のガラス管に切削加工を施す方法は、ガラス管強度を著しく低下させるばかりか、ヒートショックによる破損の問題があり、また、シール部をガラス管の外径よりも大きく加工する場合は、複雑な形状のナットにしないとナットの脱着ができない問題がある。
【課題を解決するための手段】
【０００４】  本考案は、ガラス管強度を著しく劣化させてしまう切削加工を加えずに、ふっ素樹脂を代表とする樹脂製チューブ継手等のシール構造に合わせて、ガラス管を熱加工して窪み加工を施すことにより問題点を解決する。
【考案の効果】
【０００５】  ガラス管に熱加工を加え窪み加工を施す場合、シール部の外径がガラス管以上に大きくならないため、樹脂製チューブ継手等の脱着が容易にできることや、窪み加工部は滑らかな曲面を持つために樹脂製チューブ継手等の脱着時に継手を傷めることがないこと。また、切削加工と違い、ガラス管の肉厚が不均一になることを防ぐことにより、ガラス管の強度を維持できることを特徴とする。上述の結果、ガラス管に窪み加工を施したものと、未加工では引張荷重試験においても１０倍以上の効果があり、水圧試験においても２倍以上の効果が得られたことから、引き抜け防止効果及び、シール効果において十分な効果が得られることは明白である。
【図面の簡単な説明】
【０００６】
【図１】窪み未加工のガラス管とふっ素樹脂製チューブ継手の組立図である。
【図２】窪み加工後のガラス管とふっ素樹脂製チューブ継手の組立図である。
【考案を実施するための形態】
【０００７】  図１及び、図２はガラス管とふっ素樹脂製チューブ継手の組立図であるが、４のガラス管を１のボディに挿入し、２のナットを回すことにより３のシール部のボディが締め付けられ４のガラス管を固定する。図１はガラス管に窪み未加工のため３のシール部はガラス管に密着するのみであるが、図２の様にガラス管に窪み加工を施した４のガラス管を１のボディに挿入し、２のナットを回すと３のシール部のボディが４のガラス管の窪みに沿って変形することにより、シール効果を維持したまま、引き抜け防止の効果を得ることが可能となる。
【実施例】
【０００８】  理化学ガラス、石英ガラス製品には、多種多様な配管やホース及び、チューブを接続する必要のある製品が多い。本考案の窪み加工をしたガラス管をガラス製品の配管やホースの接続口として使用することにより、市販のふっ素樹脂製チューブ継手を用いて、引き抜けることのない配管接続が可能となる。
【産業上の利用可能性】
【０００９】  ガラス管の窪み加工は、加工方法が簡単で確実な固定が可能なこともから、手間のかかる従来のガラスの擦り合わせ加工の代用が可能である。
【符号の説明】
【００１０】１  ボディ
２  ナット
３  シール部
４  ガラス管
【図１】
0003157750.tif 000003
【図２】
0003157750.tif 000004
【手続補正書】
【提出日】平成21年11月25日(2009.11.25)
【手続補正１】
【補正対象書類名】実用新案登録請求の範囲
【補正対象項目名】全文
【補正方法】変更
【補正の内容】
【実用新案登録請求の範囲】
【請求項１】
樹脂継手シール構造に沿った窪み加工を施し、樹脂製チューブ継手とガラス管または石英ガラス管の引き抜け防止を図ることを特徴とするガラス管または石英ガラス管。
(57)【要約】      （修正有）【課題】ゴルフのパッティングの微妙な強弱と正確さを練習することを可能にするパター練習器を提供する。【解決手段】本体１下部に均等間隔で斜め上方向に設けられた円筒状の４個の穴に、同じ長さの４本のティー３の尖った先端部分を挿入して本体１の柱とし、ティー３の柱が挿入された状態で本体１を絨毯や芝生上に立てることで、照明または自然光により本体１下部にグリーン上のホールと同様な円形の影４を映し出し、これを仮想ホールに見立ててパッティングを行い、仮想ホールの前後に、傾斜や、障害物が無い平坦な状態でゴルフボールを通過させ、通過した距離を確認することでパッティングの微妙な強弱の練習および正確なパター練習を可能とした。【選択図】図１
0003157757.tif 000002
【実用新案登録請求の範囲】
【請求項１】
直径がグリーン上のホールの直径と同じ大きさを有する厚みを持った円盤状の本体と、本体下部の外縁部直近から本体上部の表面を貫通しない深さで、本体上部の中心から引いた垂線の任意の１点に向かって斜め上方向に均等間隔で設けられた棒状の柱が挿入できる円筒状の４個の穴、とで構成されるパター練習器。
【請求項２】
請求項１の本体上部にゴルフボール数個が乗る凹部を設ける。
【考案の詳細な説明】
【産業上の利用分野】
【０００１】  本考案は、ゴルフのパター練習でパッティングの微妙な強弱と正確さを身に付けることを可能にしたパター練習器である。
【背景技術】
【０００２】  従来のパター練習器は、グリーン上のホールと同様にゴルフボールを仮想ホールに落下させてカップインさせる構造のため、仮想ホールを地面より低くする必要があるため、仮想ホールの周囲を地面より若干高くし、その周囲になだらかな傾斜を設けるか、または地面と平行に任意の高さで設けられた床面に、仮想ホールとなる円筒状の穴を設け、仮想ホールまでのアプローチの任意の位置から、なだらかな傾斜を設けて仮想ホールにゴルフボールを落下させる構造のものが一般的である。まれにグリーン上のホールと同程度の大きさの厚みのある円柱体を地面に置き、仮想ホールと見立ててゴルフボールを当てる練習器などがあるが、傾斜が付いた練習器ではゴルフボールが傾斜を上がるためのパッティングの強さが必要となり、仮想ホールまでの距離以上に強くパッティングをしなければ仮想ホールにカップインさせることができず、また、円柱体にゴルフボールを当てる練習器ではパッティングの正確さは練習できるが、パッティングの微妙な強弱までは練習することができず、いずれも実践に不向きであった。
【考案が解決しようとする課題】
【０００３】  パッティングの微妙な強弱と正確さを練習することを可能にするためには、グリーン上のホールに見立てた仮想ホールの前後に、傾斜や、障害物の無い状態でゴルフボールを通過させ、通過した距離を確認する必要がある。本考案は、照明または自然光により仮想ホールとなる円形の影を本体下部に映し出すことで、本体下部と地面との間に作られた隙間をゴルフボールが容易に、かつ、円滑に通過できる構造を提供する。
【課題を解決するための手段】
【０００４】  本考案は、本体１下部の外縁部直近から本体１の上部中心から引いた垂線の任意の１点に向かって、斜め上方向に均等間隔に設けられた円筒状の４個の穴２に、同じ長さのティー３の尖った先端部分を挿入することでティー３を本体１の柱とし、ティー３が本体１に挿入された状態で本体１を絨毯や芝生の上に立てることで、照明または自然光により本体１下部にグリーン上のホールと同様な円形の影４を映し出し、これを仮想ホールに見立ててパッティングを行い、仮想ホールの前後に、傾斜や、障害物が無い平坦な状態でゴルフボールを通過させることにより、パッティングの微妙な強弱の練習および正確なパター練習を可能とした。
【考案の効果】
【０００５】  照明または自然光により本体１下部に映る円形の影４があたかもグリーン上のホールのようで、パッティングに集中できるとともに、仮想ホールの前後に傾斜や障害物が無い状態でゴルフボールが通過した距離を確認することができるので、パッティングの強弱が良くわかり、練習効果が飛躍的に上がる。
【実施例】
【０００６】  樹脂または木材などの硬い材質で、厚みを持った円盤状の本体１の直径がグリーン上のホールの直径と同じ大きさで、本体１下部の外縁部直近から本体１上部の表面を貫通しない深さで、本体１の上部中心から引いた垂線の任意の１点に向かって斜め上方向に均等間隔で設けられた円筒状の４個の穴２に、同じ長さのティー３の尖った先端部分をそれぞれ挿入した状態で、ティー３を柱として本体１を絨毯または芝生上に立てることにより、照明または自然光により本体１と同程度の大きさの影４を本体１下部に映し出し、当該影４を仮想ホールと見立てたパター練習を可能とし、本体１下部と地面との隙間をゴルフボールが容易に、かつ円滑に通過できる平坦な空間を提供し、ゴルフボールが仮想ホールを通過した距離が確認できることで、パッティングの微妙な強弱および正確なパター練習を可能とした。また、本体１の上部表面に凹部５を設けることで、練習後のゴルフボール数個を格納する構造とすることも可能である。
【図面の簡単な説明】
【図１】本考案の実施例を分かりやすく表示した斜視図である。
【図２】本考案の本体の底面図である。
【図３】本考案の本体を正面からみた図２のａ−ａ’断面図である。
【符号の説明】１本体  ２穴、３ティー、４仮想ホール、５凹部
【図１】
0003157757.tif 000003
【図２】
0003157757.tif 000004
【図３】
0003157757.tif 000005
【手続補正書】
【提出日】平成21年11月27日(2009.11.27)
【手続補正１】
【補正対象書類名】実用新案登録請求の範囲
【補正対象項目名】全文
【補正方法】変更
【補正の内容】
【実用新案登録請求の範囲】
【請求項１】
直径がグリーン上のホールの直径と同じ大きさを有する厚みを持った円盤状の本体と、本体下部の外縁部直近から本体上部の表面を貫通しない深さで、本体上部の中心から引いた垂線の任意の１点に向かって斜め上方向に均等間隔で設けられた棒状の柱が挿入できる円筒状の４個の穴、とで構成されるパター練習器。
【請求項２】
本体上部にゴルフボール数個が乗る凹部を設けたことを特徴とする請求項１に記載のパター練習器。
(57)【要約】      （修正有）【課題】破損、金型破壊及び飛び跳ねることによる人体への危険性があるヒールを用いずに、製品への精密性を確保できるプレス金型のパンチを提供する。【解決手段】切り欠き及び曲げパンチの側面に凹部を設け、ストリッパガイドピンを挿入する。【選択図】図１
0003157730.tif 000002
【実用新案登録請求の範囲】
【請求項１】
プレス金型に用いられる、切り欠き及び曲げパンチ形状について、ヒールを取り除いた形状を特徴としたものである。
【請求項２】
請求項１の形状は、凹部の形状を特徴としたものである。
【請求項３】
請求項２の形状をした凹部に、ストリッパガイドピンを挿入することを特徴としたものである。
【考案の詳細な説明】
【技術分野】
【０００１】  この考案は、プレス金型に用いる切り欠き及び曲げパンチの形状に関する。
【背景技術】
【０００２】  従来のプレス金型に用いられる、切り欠き及び曲げパンチ形状は、図５に示すように、パンチ本体の底面にヒールを設けた形状である。ヒールの役割は、打ち抜く際、また、曲げる際に生じる側方力が原因でバリの発生、また、パンチがよじれることによる、製品への精密性を軽減させる為である。
【先行技術文献】
【０００３】
【非特許文献１】  株式会社ミスミ社によるインターネット講座「エンジニアのための技術講座  プレス金型講座  第２６回」内
【考案の概要】
【考案が解決しようとする課題】
【０００４】  現在、市場に出回っている切り欠き及び曲げパンチ形状は、ヒールの消耗、また、ヒールの破損による金型破壊、損傷及び飛び跳ねることによる人体への危険性があった。【０００５】  また、ヒールを取り除くと製品への精密性に欠ける恐れがある。【０００６】  しかし、ヒールが必要な為、ヒールの代わりとなるものが必要であった。
そこで、この考案は、これらの状態を回避することを課題とする。
【課題を解決するための手段】
【０００７】  以上の課題を解決するために、第一考案は、ヒールを取り除くこと。
第二考案は、切り欠き及び曲げパンチを、下型に使用されるダイプレートから作成、又は、新たに作成する際に凹部を設ける。
第三考案は、第二考案より作成されたきり欠き及び曲げパンチ形状の凹部に、株式会社ミスミ社製のストリッパガイドピン（型式ＳＧＰＨ）を挿入することとしたものである。
【考案の効果】
【０００８】  第一考案によれば、ヒールを取り除くことにより、ヒールの消耗、また、ヒールの破損がなくなり、金型への破損、損傷及び人体への危険性がなくなった。
第二考案によれば、切り欠き及び曲げパンチに凹部を設けることにより、また、第三考案によれば、ストリッパガイドピンを挿入することで、精密性が確保された。
【図面の簡単な説明】
【図１】この考案の一実施形態を示す斜視図である。
【図２】この考案の実施形態を示す正面図である。
【図３】下型に取り付けられるダイプレートより切り出すパンチの切り出し方法を示した上面図である。
【図４】切り出したパンチの取り付け方法を示した正面図である。
【図５】従来の切り欠き及び曲げパンチ形状を示した斜視図である。
【考案を実施するための形態】
【０００９】  この考案の実施例について、添付図面を用いて説明する。
【００１０】  下型に使用されるダイプレート（図２）より、切り欠き及び曲げパンチとなる（図１）を、ワイヤー放電加工にて切り出す。
切り出した切り欠き及び曲げパンチ６は、切り刃及び曲げ刃となる。
ダイプレート１自体は、切り出したパンチ６部分をくり抜いた形状になっており、その部分も切り刃及び曲げ刃になる。
切り出した切り欠き及び曲げパンチ図１は固定するパンチプレート３に止めネジ８で取り付けられる（図４）。
その際に、ストリッパガイドピン５を凹部に入れ込む。
このストリッパガイドピン５は、切り出したパンチ６より、長いものである。
ストリッパガイドピン５が抜けないように、パンチホルダプレート４を止める。
パンチプレート３には、ストリッパガイドピン５が入る孔があいている。
また、パンチプレート３とストリッパボルト９により止め合うストリッパプレート２にもストリッパガイドピン５が入る孔があいている。
このストリッパプレート２は、製品が引っ付かないようにする為、バネ７により上下稼動するものである。
下型に使用されるダイプレート１には、切り出したパンチ形状と、ストリッパガイドピン５が入る孔があいている。
ストリッパガイドピン５用の孔に、パンチプレート３から入っているストリッパガイドピン５が先に入り、従来のパンチ形状（図５）であるヒール１０の役割をしている。
【符号の説明】
【００１１】１  ダイプレート
２  ストリッパプレート
３  パンチプレート
４  パンチホルダプレート
５  ストリッパガイドピン
６  切り欠き及び曲げパンチ
７  バネ
８  止めネジ
９  ストリッパボルト
１０  ヒール
【図１】
0003157730.tif 000003
【図２】
0003157730.tif 000004
【図３】
0003157730.tif 000005
【図４】
0003157730.tif 000006
【図５】
0003157730.tif 000007
【手続補正書】
【提出日】平成21年9月25日(2009.9.25)
【手続補正１】
【補正対象書類名】実用新案登録請求の範囲
【補正対象項目名】全文
【補正方法】変更
【補正の内容】
【実用新案登録請求の範囲】
【請求項１】
プレス金型に用いる、切り欠き及び曲げパンチ形状において、ヒールを取り除いたパンチ。
【請求項２】
請求項１記載のパンチにおいて、側面に凹部を設けたパンチ。
【請求項３】
請求項２記載のパンチにおいて、凹部にストリッパガイドピンを挿入したパンチ。
(57)【要約】      （修正有）【課題】天幕の設営を容易にする天幕用金具を提供する。【解決手段】Ｌ型金具又は平板金具をアンカーボルト又はコンクリート用釘により固定して杭に替える。【選択図】図８
0003157726.tif 000002
【実用新案登録請求の範囲】
【請求項１】
風水害時及びレジャー等に於いて積雪地及び軟弱地にでの天幕の展張する際、従来はハンマーにて鉄製、アルミ製のアングル、丸棒により使用されていた本考察はコンクリート、アスファルトに於ける地盤に杭に準ずる使用で、Ｌ型金具、平板金具をアンカーボルト又はコンクリート用釘により固定して杭に替る建設具として天幕の展張することを特徴とする天幕用金具。
【考案の詳細な説明】
【考案の詳細な説明】
【技術分野】
【０００１】  本考案は野外地でのコンクリート地、アスファルトに於ける地盤で杭に準ずる天幕用金具に関するものである。
【背景技術】
【０００２】  天幕の設置が積雪地及び軟弱地で鉄製アルミ製のアングル、丸棒によりハンマー等で打込みで天幕されていた。
【考案の開示】
【考案が解決しようとする課題】
【０００３】  従来の天幕の設営は地面に、ハンマーで鉄製やアルミ製のアングル、丸棒により固定され、コンクリート、アスファルトでの設営には、アングル、丸棒では固定か不可に近い状態である。【０００４】  現状では殆どがコンクリート地、アスファルトによる舗装路面化されている地面にコンクリート用釘、アンカーボルトによる金具の取付けにより天幕の設営を可能にしようとするものである。
【考案が解決しようとする手段】
【０００５】  本考案はハンマーによりコンクリート用釘の打込みにより金具をコンクリート、アスファルトの舗装路面に固定して天幕の設営を容易にしようとする。
である。
【０００６】  電気設備を利用して電動ドリルにより舗装路面に穴をあけてアンカーボルトにより金具を取り付けて天幕の設営を容易にして軟弱、舗装路面の何れにも設営が可能として非常時の際にその天幕の設営を解決しようとするものである。
【考案の効果】
【０００７】  上述の如く既製の金具又上述の金具の使用により何れの場所でも天幕の設営が容易になりその上の展張の早期実現が可能になりその目標が達成されることになる。
【考案を実施するための最良の形態】
【０００８】  コンクリート地、アスファルトによる舗装路面に対して強固にアンカーボルト、コンクリート用釘の打込みにより金具の取付けが容易となり、なお金具の種類によりその設営の範囲が広くなり且つフック、リングの付加により天幕の展張りが多目的に利用される事が可能になる。
【実施例】
【０００９】  以下添付図面に従って実施例を説明する。１はコンクリート用釘２Ｌ型金具で、コンクリート釘をハンマーで打込みしてこのＬ型金具を固定する。【００１０】  ６Ｔ型金具を２のアンカーボルトを始めに電動ドリルにてコンクリート、アスファルトに穴加工後アンカーボルトを打ち込み、６の型金具をセットして５のナットを締めて固定する。【００１１】  天幕の終了時にはコンクリート用釘の場合は電動グラインダーにて頭を削り金具を取外して後ハンマーにてコンクリート用釘を打ち込む且つアンカーボルトの場合はナットを外し金具を取外して後ハンマーで地中に埋込みして障害にならない様にして処置する。
【図面の簡単な説明】
【００１２】
【図１】  コンクリート用釘、アンカーボルト、天幕用Ｌ型金具（φ６、φ１１）
【図２】  コンクリート用釘、アンカーボルト、天幕用Ｌコ型金具（φ６、φ１１）
【図３】  コンクリート用釘、アンカーボルト、天幕用ダブルコ型金具（φ６、φ１１）
【図４】  コンクリート用釘、アンカーボルト、天幕用Ｌ型金具（φ６、φ１１）
【図５】  アンカーボルトＴ型金具
【図６】  アンカーボルト平型金具
【図７】  アンカーボルト用シンプルＴ型金具
【図８】  Ｌ型金具のコンクリート用釘の取り付け例
【図９】  Ｌ型金具のアンカーボルトの取り付け例
【図１０】  平型金具の取り付け例
【図１１】  Ｔ型金具の取り付け例
【符号の説明】
【００１３】  １．コンクリート用釘（φ６）
２．アンカーボルト（Ｍ１０）
３．天幕用Ｌ型金具
４．天幕用Ｌ型金具
５．平型金具
６．Ｔ型金具
７．フック
８．ツナギリング
【図１】
0003157726.tif 000003
【図２】
0003157726.tif 000004
【図３】
0003157726.tif 000005
【図４】
0003157726.tif 000006
【図５】
0003157726.tif 000007
【図６】
0003157726.tif 000008
【図７】
0003157726.tif 000009
【図８】
0003157726.tif 000010
【図９】
0003157726.tif 000011
【図１０】
0003157726.tif 000012
【図１１】
0003157726.tif 000013
【手続補正書】
【提出日】平成21年8月20日(2009.8.20)
【手続補正１】
【補正対象書類名】実用新案登録請求の範囲
【補正対象項目名】全文
【補正方法】変更
【補正の内容】
【実用新案登録請求の範囲】
【請求項１】
風水害時及びレジャー等に於いて積雪地及び軟弱地にての天幕の展張する際、において、
（１）従来はハンマーにて鉄製、アルミ製のアングルか又は丸棒により使用されていた本考察はコンクリート、アスファルトに於ける地盤に杭に準ずる使用で、Ｌ型金具、平板金具をアンカーボルト又はコンクリート用釘の何れかによりコンクリート用釘を利用しての場合は金具にハンマーにより釘を打ち込み、又アンカーボルトの場合は穴開け後、アンカーボルトを穴に差し込み固定用ピンをハンマーで打ち込み金具をセットしてナット止めを施行時に必要により地形や状態によりＵ型金具又はピンを利用して夫々金具を固定して杭に替る建設具として天幕の展張りをすることを特徴とする天幕用金具。
（２）天幕の展張り時特に地形や環境条件に展張りの強さをより以上必要とする場合は４ケ所固定穴を有するアンカーボルト用平型金具又はＴ型金具を用いて初期の天幕の展張の目的を達成する以上からなる夫々特徴をもった、天幕用金具である。
【手続補正書】
【提出日】平成21年12月4日(2009.12.4)
【手続補正１】
【補正対象書類名】実用新案登録請求の範囲
【補正対象項目名】全文
【補正方法】変更
【補正の内容】
【実用新案登録請求の範囲】
【請求項１】
コンクリート又はアスファルトに於ける地盤に杭に準ずる使用で、Ｌ型金具又は平板金具をアンカーボルト又はコンクリート用釘により固定して杭に替る建設具として天幕の展張を可能にする事を特徴とする天幕用金具。
(57)【要約】      （修正有）【課題】今まで車椅子に座る時、不快であった洋服のつれ及び下半身の冷えを解決するために用いたひざ掛けの車輪への巻き込みによる事故防止と介助人の負担軽減のための車椅子専用レインコート及び防寒コートを提供する。【解決手段】車椅子に座った形状のコートで、表コートは撥水で、冬の寒冷期には身頃身返しのオープンファスナーにて防寒用布地仕様コートを装備でき、雨天時にはフード及び前雨除けエプロンを付けらる。【選択図】図２
0003157727.tif 000002
【実用新案登録請求の範囲】
【請求項１】
車椅子に座った形状のコートで、表コートは撥水で、冬の寒冷期には身頃身返しのオープンファスナーにて防寒用布地仕様コートを装備でき、雨天時にはフード及び前雨除けエプロンを付けられる。
【考案の詳細な説明】
【技術分野】
【０００１】服飾
【背景技術】
【０００２】福祉介護服
【先行技術文献】
【特許文献】
【０００３】
【特許文献１】
【特許文献２】
【非特許文献】
【０００４】
【非特許文献１】
【非特許文献２】
【考案の概要】
雨天及び寒さにも左右されにくい防寒及び雨対策
【考案が解決しようとする課題】
【０００５】今まで車椅子に座る時、不快であった洋服のつれ及び下半身の冷えを解決するために用いたひざ掛けの車輪への巻き込みによる事故防止と介助人の負担軽減。
【課題を解決するための手段】
【０００６】車椅子に座った形状の被服を考案
【考案の効果】
【０００７】本人および介護人の負担軽減と事故防止
【図面の簡単な説明】
【０００８】
【図１】車いす専用レインコート及び防寒コートを着用して車椅子に座った時の全体をを示した図面である。  横面：  見ごろおよびフードは脱着可能な全開ファスナー（防寒用には中コートを全開ファスナーで中に取り付ける）  前面：  前面には雨天時に手及び荷物の雨濡れ防止エプロン付き。肩止めはマジックテープで肩章に付ける。脇はタブを身頃にドットボタンでつける。
【図２】車いす専用レインコート及び防寒コートの寸法及び角度をあらわした図である。障害の状況により歩行可能な人には、角度を浅く取ります。まず後身頃の長さを決め、後身頃を設定し（Ａ）、次に前身脇を後脇の角度に合わせて設定（Ｂ）、それによって出た寸法（Ｃ）の長さで、前身の長さを決定する。
【考案を実施するための形態】
【０００９】座位の形状にあわせ、パターンを修正。
。
【実施例】
【００１０】添付図面に従って説明する。  後身頃の長さを基準とし、後ろ脇を角度と寸法で割り出し、後前脇寸法を揃え、前脇の（Ｃ）寸法を出し、前の余分な分量を処理する。
【産業上の利用可能性】
【００１１】不便にもかかわらず現状では製品化されていない。
【符号の説明】Ａ  （Ａ寸法）後身中心と後脇布の接合線
Ｂ  （Ｂ寸法）後脇と前脇の接合線
Ｃ  （Ｃ寸法）前身中心身頃と前脇身頃との接合点
【・・・・】
【図１】
0003157727.tif 000003
【図２】
0003157727.tif 000004
【手続補正書】
【提出日】平成21年11月26日(2009.11.26)
【手続補正１】
【補正対象書類名】実用新案登録請求の範囲
【補正対象項目名】全文
【補正方法】変更
【補正の内容】
【実用新案登録請求の範囲】
【請求項１】
車椅子に座った形状のコートで、表コートは撥水で、冬の寒冷期には身頃身返しのオープンファスナーにて防寒用布地仕様コートを装備でき、雨天時にはフード及び前雨除けエプロンを付けられる車椅子専用レインコート兼防寒コート。
【手続補正２】
【補正対象書類名】明細書
【補正対象項目名】０００８
【補正方法】変更
【補正の内容】
【０００８】
【図１】車椅子レインコート兼防寒コートを着用して車椅子に座った時の全体を示した図。
【図２】普通コート用の型紙を座形に変更した型紙。
【手続補正３】
【補正対象書類名】図面
【補正対象項目名】図１
【補正方法】変更
【補正の内容】
【図１】
0003157727.tif 000005
(57)【要約】【課題】  絵柄や文字などを彫刻したガラス板を、切断面から照明するライト内臓枠を提供する。【解決手段】  円形又は多角形の空間を設けた表面枠と、裏面には上下左右に蝶番をつけたライトカバーを設け、ライトカバー内には複数のソケットを配設、ＬＥＤ電球を使用、カバー内面には反射板を貼り、枠内の四隅に彫刻したガラス板を留める固定板を配置、さらに固定材にはライトカバー開閉の留め具と通風孔をつけ、枠の上下に細目の金網を取り付けた換気孔を開け、ライト器具に連結したコードのプラグを、枠の下部から外へ出したのを特徴とするライト内蔵枠。【選択図】図３
0003157796.tif 000002
【実用新案登録請求の範囲】
【請求項１】
中央部に円形または、多角形の空間を設けた表面枠と、裏面には上下左右に蝶番をつけたライトカバーを設け、ライトカバー内にはそれぞれ複数のソケットを配設、ＬＥＤ電球を使用、カバー内面には反射板を貼り、枠内の四隅に、彫刻面を内側に向けたガラス板を留める固定材を配置、さらに固定材にはライトカバー開閉の留め具と通風孔をつけ、枠の上下に細目の金網を取り付けた換気孔を開け、ライト器具に連結したコードのプラグを、枠の下部から外へ出したのを特徴とするライト内蔵枠。
【考案の詳細な説明】
【技術分野】
【０００１】  絵柄や文字などを彫刻したガラス板を飾るライト付の枠に関するものである。
【背景技術】
【０００２】  絵画などを描いたガラスや、花や風景などを彫刻したガラス板を額縁に入れ、外からライトを当て観賞する方法はあった。
【考案の概要】
【考案が解決しようとする課題】
【０００３】  彫刻した厚手のガラス板の切断面から、ライトが当たると色彩豊かに反射するのは分かっていた。しかし、既存の額縁では、ガラスの切断面に光を当てる機能性はなく、ガラス板を効果的に飾ることは出来なかった。
本考案は、以上の問題点を解決するためのものである。
【課題を解決するための手段】
【０００４】  中央部に円形又は多角形の空間を設けた表面枠と、裏面には上下左右に蝶番をつけたライトカバーを設け、ライトカバー内にはそれぞれ複数のソケットを配設、ＬＥＤ電球を使用、カバーの内面には反射板を貼り、枠内の四隅にガラス板を留める固定材を配置、さらに固定材にはライトカバー開閉の留め具と通風孔をつけ、枠の上下に細目の金網を取り付けた換気孔を開け、ライト器具に連結したコードのプラグを、枠の下部から外へ出したのを特徴とするライト内蔵枠である。
【考案の効果】
【０００５】  枠内の彫刻したガラス板の切断面に、四方からライトを当てるので、彫刻面の角度や深さによって、鮮やかな色彩を表現することが出来る。
【図面の簡単な説明】
【０００６】
【図１】  本考案の正面図
【図２】  本考案の背面図
【図３】  本考案背面の説明図
【図４】  本考案の彫刻したガラス板
【考案を実施するための形態】
【０００７】  中央部に円形又は多角形の空間を設けた表面枠（１）と、裏面には上下左右に蝶番（２）をつけたライトカバー（３）を設け、ライトカバー内にはそれぞれ複数のソケット（４）を配設、ＬＥＤ電球（５）を使用する。カバー内面には反射板（６）を貼り、枠内の四隅には、彫刻面を内側に向けたガラス板（７）を留める固定材（８）を配置する。さらに固定材（８）には、ライトカバー（３）開閉の留め具（９）と通風孔（１０）をつけ、枠の上下に細目の金網（１１）を取り付けた換気孔（１２）を開け、ライト器具（１３）に連結したコード（１４）のプラグ（１５）を枠の下部から外へ出したのを特徴とするライト内蔵枠である。
【０００８】  ライトカバーを開閉して、手軽に電球のセット及び交換ができるようにした。
ＬＥＤ電球の使用は、電気代が安く済むうえ、枠内の温度も外気と２度位の温度差を保てるが、通気孔と、換気孔を設置して、枠内の温度を安定させ、長時間の連続利用も出来るようにした。
【０００９】  本考案は、壁掛け、衝立、及びテーブルなどに使用応できるほか、プラスチックなどの素材で小さいものでは、微灯の電気スタンドや看板などにも広く活用できる。
【符号の説明】
【００１０】１      表面枠
２      蝶番
３      ライトカバー
４      ソケット
５      ＬＥＤ電球
６      反射板
７      ガラス板
８      固定材
９      留め具
１０    通風孔
１１    金網
１２    換気孔
１３    ライト器具
１４    コード
１５    プラグ
【図１】
0003157796.tif 000003
【図２】
0003157796.tif 000004
【図３】
0003157796.tif 000005
【図４】
0003157796.tif 000006
(57)【要約】      （修正有）【課題】仕事中でも外出中でも薬服用時間を守れる飲料水が、その場で使用でき、キャップを落とすことのない服用ミニボトルを提供する。【解決手段】ミニボトルは波形状を施し、ねじり閉め線状の口部にはめるキャップにループを付けたことを特徴とする服用ミニボトル。使用の場合ループに指を入れボトルを回しながら開けることでキャップを落とすこともなく服用１回分の水が使用でき、次の休憩時に補充することができる。【選択図】図１
0003157800.tif 000002
【実用新案登録請求の範囲】
【請求項１】
ミニボトルは波形状の凹凸を施し、ねじり閉め線状の口部にはめるキャップにループを付けたことを特徴とする服用ミニボトル。
【考案の詳細な説明】
【技術分野】
【０００１】  本発明は、ボトルキャップにループを設けた服用ミニボトルに関するものである。
【背景技術】
【０００２】  従来、ペットボトル等のキャップでは、ねじり締め式また、蝶番式のものであった。
【先行技術文献】
【０００３】  上記背景技術のように一般的なものになっている。
【考案の概要】
【考案が解決しようとする課題】
【０００４】  そのために、次のような問題点があった。
（イ）薬服用時は休憩時とは限らず、食前３０分、食後３０分また食間に服用することで仕事中、外出の時常時飲料水が手元に用意できない場合もある。
（ロ）常に持ち歩けるボトルとして、ポケットラジオ程のボトルにキャップを付けると小さく落としやすい。蝶番式のではポケットに入れて歩くと蓋が開いてしまう恐れがある。
本発明は、これらの問題点を解決するためになされたものである。
【課題を解決するための手段】
【０００５】    ミニボトルは波形状の凹凸を施し、ねじり閉め線状口部にはめるキャップにループをけ付る。
以上を特徴とする服用ミニボトルである。
【考案の効果】
【０００６】  堅固でポケットラジオ程の小さいボトルにキャップに付けたループは、かさばることもなく落とす心配もなくどんな場所でも安心で使用で切る。
【図面の簡単な説明】
【０００７】
【図１】  本発明の正面図
【図２】  本発明の平面図
【考案を実施するための形態】
【０００８】  以下、本発明の実施の形態について説明する。
（イ）ボトル（１）は堅固な波状の凹凸を施しねじり閉め線状の口部（２）にする。
（ロ）口部（２〕にはめ込むキャップ（３）にループ（４）を付ける。
本発明は、以上のような構成でこれを使用する時は、水を入れしっかりキャップ（３）を閉める。使用の場合ループに指を入れボトルを回しながら開けることでキャップを落とすこともなく服用１回分の水が使用でき、次の休憩時に補充することができる。
【符号の説明】
【０００９】１  ボトル本体
２  ねじり閉め線状口
３  キャップ
４  ループ
【図１】
0003157800.tif 000003
【図２】
0003157800.tif 000004
(57)【要約】      （修正有）【課題】使いすてカイロを腰ベルトに装着することで、貼るカイロによる温熱治療を安全で有効なものにするカイロ用腰ベルトを提供する。【解決手段】適宜自在に左右へずらす事が可能な腰ベルト２の特質を利用し、腰ベルト本体２に使い捨ての貼るカイロ１を貼り付ける事で肌への温熱加熱部分を自在に移動できるようにして「使い捨ての貼るカイロ用腰ベルト」を構成する。【選択図】図４
0003157797.tif 000002
【実用新案登録請求の範囲】
【請求項１】
ベルト状本体の外面に使い捨てカイロの貼り付け場をもつ構造を特徴とした使い捨ての貼るカイロ用腰ベルト。
【考案の詳細な説明】
【技術分野】
【０００１】  本考案は、使い捨ての貼るカイロによる温熱治療をより安全で有効にするための使い捨ての貼るカイロ用腰ベルトに関するものである。
【背景技術】
【０００２】  通例、使い捨ての貼るカイロは、衣類や肌着等に貼り付けて患部に温熱加温をする。
【考案の開示】
【考案が解決しようとする課題】
【０００３】  そうすると、患部一点を長時間にわたって加熱する事となり、場合によっては、患部に低温やけどを引き起こしたり、そうはならないまでも、カイロの温度調整がはかりづらい。この不都合を考案が解決しようとする課題である。
【課題を解決するための手段】
【０００４】  そこでこうした課題を解決するための手段として、現状の通例手段であるカイロからの熱が肌に伝わる固定の場所を移動し難い衣類や肌着にカイロを貼り付けるという手段ではなく、カイロの熱が伝わる場所を容易に移動させる事ができる「腰ベルト」に使い捨ての貼るカイロを貼り付けて、その腰ベルトを適宜自在にずらす事により、カイロと肌との接地場所を移動させるという手段を採用する。
【考案の効果】
【０００５】  前述のごとく、衣類や肌着に使い捨てカイロを貼り付けて使用するよりも、カイロを腰ベルトに貼り付けて、その腰ベルトを左右に適宜自在にずらす事により、カイロと肌の接地場所は容易に好みで移動できる。結果、低温やけどは防ぐ事ができる。【０００６】  腰ベルトの外面随所にカイロを貼れる利点は、腰部から腹部の広範囲に温熱治療効果がある。
【考案を実施するための最良の形態】
【０００７】  図によって説明すると、図１から図４のＡは正面図であり、同じく図１から図４のＢは側面図である。
図１は、使い捨ての貼るカイロである。
図２は、ベルト状本体２の外面３である。
図３は、そのベルト状本体２をベースとした腰ベルト２の外面３に使い捨ての貼るカイロ１を貼る。
図４は、マジックテープ４と５を用いて装着したイメージの腰ベルト２の外面３と内面６である。
【図面の簡単な説明】
【０００８】
【図１】使い捨ての貼るカイロ
【図２】ベルト状本体と外面。
【図３】腰ベルトに使い捨ての貼るカイロを貼る。
【図４】マジックテープを用いて腰ベルトを装着する。
【符号の説明】
【０００９】１    使い捨ての貼るカイロ。
２    腰ベルト。
３    外面
４    マジックテープ。
５    マジックテープ。
６    内面。
Ａ    正面図。
Ｂ    側面図。
【図１】
0003157797.tif 000003
【図２】
0003157797.tif 000004
【図３】
0003157797.tif 000005
【図４】
0003157797.tif 000006
(57)【要約】      （修正有）【課題】別の再生機器を使用しないで自由な時間に利用できる再生専用携帯機を提供する。【解決手段】本体内部には、ＬＳＩチップ、スピーカー及び電池が共に内蔵しており、本体表面に再生するためのスイッチ・ボリュウムを設けた小型軽量を特徴とする。【選択図】図１
0003157731.tif 000002
【実用新案登録請求の範囲】
【請求項１】
ラジオ体操録音内蔵再生専用携帯機（Ｒｅｐｅａｔ・Ｈｅａｒ・Ｍａｃｈｉｎｅ）
【請求項２】
前記、ラジオ体操録音内蔵再生専用携帯機を使用することで、何時何処ででも、気楽に体操をすることができる軽量携帯機
【考案の詳細な説明】
【技術分野】
【０００１】この考案は、ラジオ体操録音内蔵再生に関する。
【背景技術】
【０００２】従来のラジオ体操録音・録画商品（ＣＤ，カセット，ビデオテ−プ）は（ＣＤプレ−ヤ−，パソコンドライブ，カセットデッキ，ビデオデッキ）を使用して再生している。【０００３】（公序良俗違反につき、不掲載）【０００４】（公序良俗違反につき、不掲載）
【考案が解決しようとする課題】
【０００５】以上の技術によれば、ラジオ体操録音・録画商品は再生機器を使用したり、時間的制約を受けて不便である。
そこで、この考案は、再生機器を使用しないで自由な時間に利用できる、再生専用携帯機を提供することを課題とする。
【課題を解決しようとする手段】
【０００６】以上の課題を解決するために、第一考案は、ラジオ体操録音内蔵を特徴とする再生専用携帯機である。
また、第二考案は、自由な時間にラジオ体操が聞こえる再生専用携帯機である。
【考案の効果】
【０００７】第一考案、または第二考案によれば、ラジオ体操を聞くに別の再生機器を使用しなくてよく、自分の都合に合わせてラジオ体操を行なうことができる。
また、軽量携帯機なので屋内外どこでもラジオ体操を行なうことができる。
【考案を実施するための最良の形態】
【０００８】この考案の−実施形態を、図１・図２・図３に示す。
録音内蔵再生専用携帯機の本体はプラスチック又は金属製であり、本体とカバ−に分かれる。
本体表面には、スイッチ・ボリュ−ムと音声が聞こえるように、小さな丸い穴が開いている、また、本体内部には、ＬＳＩチップ、スピ−カ−、電池が配置されている。
本体の上にハンドストラップの工夫と裏面にはベルト等に掛け止められるよう工夫されている。カバ−と本体が合体するように縁の周りに凹凸と溝がある。本体とカバ−は美しいカラ−で、形は丸み、または、長方形をおびている。
【実施形態の効果】
【０００９】この実施形態によれば、録音装置がないため軽量で携帯に便利、ウオ−キング・散歩途中に公園などでラジオ体操を楽しみ健康増進に役立つ。
【他の実施形態】
【００１０】考案の名称はラジオ体操録音内蔵再生専用機で、技術分野はラジオ体操録音内蔵再生に関しているが、下記１〜８に示したように、他の商品にラジオ体操録音内蔵再生機能を組み込んでも良い。
１・  ラジオ体操録音内蔵再生機能  ＋  録音再生携帯機
２・  ラジオ体操録音内蔵再生機能  ＋  録画再生携帯機
３・  ラジオ体操録音内蔵再生機能  ＋  録音・録画再生携帯機
４・  ラジオ体操録音内蔵再生機能  ＋  録画内蔵再生携帯機
５・  ラジオ体操録音内蔵再生機能  ＋  録音・録画内蔵再生携帯機
６・  ラジオ体操録音内蔵再生機能  ＋  携帯電話
７・  ラジオ体操録音内蔵再生機能  ＋  テレビ（携帯テレビ）
８・  ラジオ体操録音内蔵再生機能  ＋  ラジオ（携帯ラジオ）
【００１１】考案の名称と技術分野での録音はラジオ体操であるが、ラジオ体操に限らず、他のあらゆる分野に応用は可能である。また、図１・に示した他に、複数のスイッチを設けて、複数の録音内蔵再生も可能である。
【利用の可能性】
【００１２】健康で長寿国を目指すには、子供・大人・年配者をとわず、健康管理が大切である。
全国的に、ウオ−キングによる健康増進が盛んになてきており、特にご年配の方は利用の可能性は大きい、また、家族全員でラジオ体操を楽しむようになる。
【００１３】技術分野の応用−ラジオ体操を（例）教育面では数学・英語・歴史の基礎的事項の暗記を要する事などの利用の可能性は大きい。
【図面の簡単な説明】
【００１４】
【図１】  この発明の−実施形態を示す斜視図である。  （本体表面）
【図２】  この発明の−実施形態を示す斜視図である。  （本体内面）
【図３】  この発明の−実施形態を示す斜視図である。  （カバ−裏面）
【符号の説明】１  スイッチ・ボリュウム（カバ−表面または側面）  ２  音声が聞こえる穴
３  ボタン電池  ４  ＬＳＩチップ  ５  スピ−カ−  ６  ハンドストラップ
７  掛け止め突起
【図１】
0003157731.tif 000003
【図２】
0003157731.tif 000004
【図３】
0003157731.tif 000005
【手続補正書】
【提出日】平成21年9月25日(2009.9.25)
【手続補正１】
【補正対象書類名】実用新案登録請求の範囲
【補正対象項目名】全文
【補正方法】変更
【補正の内容】
【実用新案登録請求の範囲】
【請求項１】
本体内部には、ＬＳＩチップ、スピーカ、電池が配置されている請求項１記載のラジオ体操録音内蔵再生専用携帯機。
【手続補正２】
【補正対象書類名】明細書
【補正対象項目名】０００３
【補正方法】変更
【補正の内容】
【０００３】ラジオ体操は、日本郵政公社の前身の逓信省簡易保険局が１９２８年（昭和３年）に「国民保険体操」として制定され、１９５１〜１９５２年（昭和２６年〜２７年）に「ラジオ体操第一・第二」として再編成された。（公序良俗違反につき、不掲載）現在のラジオ体操、テレビ体操は一定の時間に放送、放映されている。
【手続補正３】
【補正対象書類名】明細書
【補正対象項目名】０００４
【補正方法】変更
【補正の内容】
【０００４】従来のラジオ体操録音・録画商品は、ＣＤ・カセット・ビデオテープである。
【手続補正書】
【提出日】平成21年11月25日(2009.11.25)
【手続補正１】
【補正対象書類名】実用新案登録請求の範囲
【補正対象項目名】全文
【補正方法】変更
【補正の内容】
【実用新案登録請求の範囲】
【請求項１】
本体内部には、ＬＳＩチップ、スピ−カ−及び電池が共に内蔵しており、本体表面に再生するためのスイッチ・ボリュウムを設けた小型軽量を特徴とするラジオ体操録音内蔵再生専用携帯機。
【手続補正２】
【補正対象書類名】明細書
【補正対象項目名】０００３
【補正方法】変更
【補正の内容】
【０００３】ラジオ体操は、１９２８年（昭和３年）に「国民保険体操」として制定され、１９５１〜１９５２年（昭和２６年〜２７年）に「ラジオ体操第一・第二」として再編成された。
現在のラジオ体操、テレビ体操は一定の時間に放送、放映されている。
(57)【要約】      （修正有）【課題】自転車に雨よけの傘を取り付けた自転車固定傘を提供する。【解決手段】傘の頭部のステンレスの針金、または、プラスチックのＵ字型の傘の骨２に透明ビニール３、または布を張り付け、傘を開いて、固定ハンドル５で固定をし、使用しない時は、自転車１の後部に収納出来ることを特徴とする。風の抵抗を小さくするため、前から後部は吹き抜け出来るようにし、ビニール３、または布は上のみとする。【選択図】図１
0003157737.tif 000002
【実用新案登録請求の範囲】
【請求項１】
ステンレスの針金２や強度のあるプラスチック２に、ビニール３、または布３を張り付け、後部にゴムフック４を取り付け、前に引っぱることにより、傘が開き、座椅子の後部に固定バンドで固定をし、さらに、固定ハンドル５にボルトナッット７を取り付け、しめつけ固定出来、使用しない時は収納出来る自転車固定傘。
【考案の詳細な説明】
【考案の詳細な説明】
【産業上の利用分野】
【０００１】この考案は、自転車に雨よけの傘を取り付けた自転車固定傘に関するものである。
【背景技術】
【０００２】従来、自転車に、固定された傘はなかった。
【考案が解決しようとする課題】
【０００３】（イ）晴れた日に自転車に乗って出かけ、帰りに雨に出合ってしまう時があった。
（ロ）小雨の時など、手で傘を持ちながら、片手でハンドルを握り、自転車に乗っている人も見かけるが、危険である。
本考案は、これらの欠点を除くためになされたものである。
【課題を解決するための手段】
【０００４】自転車の座椅子の後部下の丸型のパイプに、ボルト付の固定バンド７で固定をし、ゴムのフック４を固定するため自転車の後部の荷台にひっかけ、前の傘の骨２を前に引っぱり傘が開いた時に、固定ハンドル５を、手動で回すことにより、ボルトとナットで構成された固定ハンドル５で、傘の位置と、角度が固定出来る。
本考案は、以上のような構成からなる自転車固定傘である。
【作用】
【０００５】  傘を開いた時は、自転車に乗って雨が降っても、人間の頭から上半身を濡れなく出来、風は前か後ろに吹き抜け出来るので、自転車に抵抗が、かからないので、違和感がない。
【実施例】
【０００６】以下、本考案の実施例について説明する。
（イ）傘の骨部のステンレス制の針金２、または強度のあるプラスチックの傘の骨部２にビニールか布３を張り付ける。
（ロ）傘を固定するため、座椅子の後部下のパイプ部に、固定ボルト・ナットで構成された固定ハンドル５で固定する。
固定する時は、自転車の後部に、ゴムフック４で固定をし、骨部２を前に引張ることにより角度と位置を決めてから、よく傘を開いて固定ハンドル５で固定する。
（ハ）使用しない時は、後部に倒し、横棒１０が荷台に当たり、傘が自転車から落ちないように固定出来る。
傘の骨部２は、固定ハンドル５の部分は平たく大きくして、穴をあけてボルトが入るように構成する。
【考案の効果】
【０００７】  雨の日に、片手でハンドルを持たず両手でハンドルを持ち、自転車の後部に固定されているため、ハンドルに固定されているのではないので、ハンドルを切った時などの違和感もないので安全である。
【図面の簡単な説明】
【図１】本考案の斜視図である。
【図２】本考案の傘を閉じた斜視図である。
【図３】本考案の正面図である。
【図４】本考案の傘を閉じた断面図である。
【図５】本考案の傘を開いた時の側面図である。
【図６】本考案の傘を閉じた時の側面図である。
【符号の説明】１  自転車
２  傘の骨
３  ビニール
４  ゴムフック
５  固定ハンドル
６  ハンドル付ナット
７  固定ボルトナット
８  ワッシャー
９  固定バンド
１０  横棒
【図１】
0003157737.tif 000003
【図２】
0003157737.tif 000004
【図３】
0003157737.tif 000005
【図４】
0003157737.tif 000006
【図５】
0003157737.tif 000007
【図６】
0003157737.tif 000008
【手続補正書】
【提出日】平成21年11月24日(2009.11.24)
【手続補正１】
【補正対象書類名】実用新案登録請求の範囲
【補正対象項目名】全文
【補正方法】変更
【補正の内容】
【実用新案登録請求の範囲】
【請求項１】
ステンレスの針金の傘の骨２、または強度のあるプラスチックで出来た傘の骨２にビニール３を張り付け、傘の骨２の下の部分を平たくし、穴をあけ、ボルト付き固定ハンドル５を貫通させ、傘の骨２と傘の骨２の間に平ワッシャー８を設け、固定ハンドル５を、固定ハンドル付ナット６で固定バンド９に締め付け、さらに、固定バンド９を、自転車の座イスの後部の鉄パイプに、固定ボルトナット７で取り付け固定し、さらに後部の傘の骨２の部分に、ゴムフック４を設けた自転車固定傘。